(57)【要約】【課題】装置寸法の増大を抑えつつ、不用意な給紙カセットの挿抜の規制を実現する【解決手段】媒体を収容する媒体収容部、並びに装置本体に対する前記媒体収容部のロック及びロック解除を行うロック手段及び前記ロック手段の状態切り換えを行う操作部を備えた媒体収容カセットに対して着脱可能なカバー体であって、前記媒体収容カセットにおいて前記操作部が設けられた凹部に入り込んで前記凹部を塞ぐ本体部と、前記本体部から突出して前記本体部を前記凹部に対してロックする第１状態と、前記第１状態よりも前記本体部からの突出量が少なく、前記凹部への前記本体部の入り込み及び前記凹部からの取り外しを許容する第２状態と、をスライドすることによって切り換えるスライド部と、を備えることを特徴とする。【選択図】図１５
2018158806.tif 000002
【特許請求の範囲】
【請求項１】
媒体を収容する媒体収容部、並びに装置本体に対する前記媒体収容部のロック及びロック解除を行うロック手段及び前記ロック手段の状態切り換えを行う操作部を備えた媒体収容カセットに対して着脱可能なカバー体であって、
前記媒体収容カセットにおいて前記操作部が設けられた凹部に入り込んで前記凹部を塞ぐ本体部と、
前記本体部から突出して前記本体部を前記凹部に対してロックする第１状態と、前記第１状態よりも前記本体部からの突出量が少なく、前記凹部への前記本体部の入り込み及び前記凹部からの取り外しを許容する第２状態と、をスライドして切り換えるスライド部と、を備える、
ことを特徴とするカバー体。
【請求項２】
請求項１に記載のカバー体において、前記スライド部の先端が前記凹部の内側に設けられた係合穴に係合することにより前記スライド部の前記第１状態が形成される、
ことを特徴とするカバー体。
【請求項３】
請求項１または請求項２に記載のカバー体において、前記スライド部は、前記凹部における前記媒体収容カセットの幅方向にスライドすることにより、前記第１状態と前記第２状態とを切り換える、
ことを特徴とするカバー体。
【請求項４】
請求項１から請求項３のいずれか一項に記載のカバー体において、前記凹部の奥行き方向に沿って変位可能な押圧ボタンを備え、前記押圧ボタンを押すことで、前記スライド部が前記第２状態から前記第１状態に切り換わる構成を備える、
ことを特徴とするカバー体。
【請求項５】
請求項１から請求項４のいずれか一項に記載のカバー体において、鍵部材を挿入する開口を備え、
前記鍵部材を前記開口に挿入することで、前記スライド部が前記第１状態から前記第２状態に切り換わる構成を備える、
ことを特徴とするカバー体。
【請求項６】
請求項１から請求項５のいずれか一項に記載のカバー体において、当該カバー体は、前記本体部が前記凹部に入り込み且つ前記スライド部が前記第１状態をとる際に前記凹部に設けられた前記操作部の変位動作を規制する、
ことを特徴とするカバー体。
【請求項７】
請求項６に記載のカバー体において、前記操作部は、前記凹部の内側の上側に位置する上側操作部と、前記凹部の内側の下側に位置する下側操作部と、前記上側操作部と前記下側操作部とを連結する連結部と、を備え、
前記スライド部の先端が前記連結部に形成された規制穴に入り込むことにより、前記操作部の変位動作が規制される、
ことを特徴とするカバー体。
【請求項８】
請求項１から請求項７のいずれか一項に記載のカバー体において、前記凹部は、前記媒体収容カセットの前記装置本体からの引き出し方向前面に形成されており、
前記本体部は、前記媒体収容カセットの前面側に、前記凹部の内側の輪郭に沿った形状及び大きさを備えるパネル部を有し、
前記本体部が前記凹部を塞いだ状態において、前記パネル部の面と前記媒体収容カセットの前面とが面一になる、
ことを特徴とするカバー体。
【請求項９】
媒体を収容する媒体収容部と、
装置本体に対する前記媒体収容部のロック及びロック解除を行うロック手段と、
前記ロック手段の状態切り換えを行う操作部と、
前記操作部が設けられた凹部と、
前記凹部に入り込んで前記凹部を塞ぐ本体部、及び前記本体部から突出して前記本体部を前記凹部に対してロックする第１状態と、前記第１状態よりも前記本体部からの突出量が少なく、前記凹部への前記本体部の入り込み及び前記凹部からの取り外しを許容する第２状態と、をスライドして切り換えるスライド部を備えて成るカバー体と、
を備えた媒体収容カセット。
【発明の詳細な説明】
【技術分野】
【０００１】
本発明は、媒体を収容する媒体収容カセットに対し着脱可能なカバー体、及び当該カバー体を備えた媒体収容カセットに関する。
【背景技術】
【０００２】
プリンターや複写機に代表される記録装置において、装置本体に対して着脱可能な給紙カセットは従来から広く用いられている。  
給紙カセットは、多くの場合カセット前面に把持部を備え、この把持部を把持して給紙カセットを手前側に引き出すことができる様に構成されている。
【０００３】
特許文献１には、従来の給紙カセットの把持部が下側から指をかけて手前に引く構成であり、ユーザーが腰をかがめた姿勢で給紙カセットを引き出す必要があり、ユーザーに負担を強いていたことに鑑みて、上側から把持できる第１把持部と下側から把持できる第２把持部を設け、上下いずれの側からでも指をかけて手前に引くことを可能とした給紙カセットが開示されている。
【先行技術文献】
【特許文献】
【０００４】
【特許文献１】特開２００７−２０４１７０号公報
【発明の概要】
【発明が解決しようとする課題】
【０００５】
ところで、記録装置では装置本体に対して給紙カセットを装着した状態でロックするロック手段が設けられることがあり、そして給紙カセットには、前記ロック手段のロック解除を行う為の操作レバーが設けられることがある。  
この様な構成において、不用意な給紙カセットの挿抜を規制したいという要請もあり、その様な要請に応える為に装置本体と給紙カセットとを例えば南京錠で連結する構成を採用することも考えられる。しかしこの場合、装置本体と給紙カセットの双方に南京錠を通す為のフック（突起）を形成する必要があり、前記フックの形成によって装置の寸法が大きくなるとともに装置の美観上も好ましくない。
【０００６】
そこで本発明はこの様な状況に鑑み成されたものであり、その目的は、装置寸法の増大を抑えつつ、不用意な給紙カセットの挿抜の規制を実現することにある。
【課題を解決するための手段】
【０００７】
上記課題を解決する為の、本発明の第１の態様に係るカバー体は、媒体を収容する媒体収容部、並びに装置本体に対する前記媒体収容部のロック及びロック解除を行うロック手段及び前記ロック手段の状態切り換えを行う操作部を備えた媒体収容カセットに対して着脱可能なカバー体であって、前記媒体収容カセットにおいて前記操作部が設けられた凹部に入り込んで前記凹部を塞ぐ本体部と、前記本体部から突出して前記本体部を前記凹部に対してロックする第１状態と、前記第１状態よりも前記本体部からの突出量が少なく、前記凹部への前記本体部の入り込み及び前記凹部からの取り外しを許容する第２状態と、をスライドして切り換えるスライド部と、を備えることを特徴とする。
【０００８】
本態様によれば、装置本体に対するロック及びロック解除の状態切り換えを行う操作部を備えた媒体収容カセットに対して着脱可能なカバー体は、前記操作部が設けられた凹部に入り込んで前記凹部を塞ぐ本体部と、前記本体部を前記凹部に対してロックするスライド部とを備えて成り、即ち前記凹部に前記本体部が入り込むことで前記操作部の操作（ロック解除操作）が規制されることとなるので、装置寸法の増大を押さえつつ、不用意な媒体収容カセットの着脱操作を規制することができる。  
加えて、前記スライド部がスライドすることにより前記第１状態と前記第２状態とを切り換える構成であるので、例えば前記スライド部がスライドするのではなく回動する様な構成に比べて状態切り換えを行う為に必要なスペースが小さくて済む。
【０００９】
本発明の第２の態様は、第１の態様において、前記スライド部の先端が前記凹部の内側に設けられた係合穴に係合することにより前記スライド部の前記第１状態が形成されることを特徴とする。
【００１０】
本態様によれば、前記スライド部の先端が前記凹部の内側に設けられた係合穴に係合することにより前記スライド部の前記第１状態が形成されるので、前記本体部を前記凹部に確実にロックすることができる。
【００１１】
本発明の第３の態様は、第１のまたは第２の態様において、前記スライド部は、前記凹部における前記媒体収容カセットの幅方向にスライドすることにより、前記第１状態と前記第２状態とを切り換えることを特徴とする。  
本態様によれば、前記凹部における前記媒体収容カセットの幅方向にスライドすることにより、前記第１状態と前記第２状態とを切り換える構成において、上述した第１のまたは第２の態様の作用効果が得られる。  
尚、前記凹部における前記媒体収容カセットの幅方向とは、鉛直方向と交差する方向を意味する。
【００１２】
本発明の第４の態様は、第１から第３の態様のいずれかにおいて、前記凹部の奥行き方向に沿って変位可能な押圧ボタンを備え、前記押圧ボタンを押すことで、前記スライド部が前記第２状態から前記第１状態に切り換わる構成を備えることを特徴とする。
【００１３】
本態様によれば、前記凹部の奥行き方向に沿って変位可能な押圧ボタンを備え、前記押圧ボタンを押すことで、前記スライド部が前記第２状態から前記第１状態に切り換わる構成を備えるので、操作性容易に、前記スライド部を前記第２状態から前記第１状態に切り換えることができる。
【００１４】
本発明の第５の態様は、第１から第４の態様のいずれかにおいて、鍵部材を挿入する開口を備え、前記鍵部材を前記開口に挿入することで、前記スライド部が前記第１状態から前記第２状態に切り換わる構成を備えることを特徴とする。
【００１５】
本態様によれば、部材を挿入する開口を備え、前記鍵部材を前記開口に挿入することで、前記スライド部が前記第１状態から前記第２状態に切り換わる構成を備えるので、操作性容易に、前記スライド部を前記第１状態から前記第２状態に切り換えることができる。
【００１６】
本発明の第６の態様は、第１から第５の態様のいずれかにおいて、前記カバー体は、前記本体部が前記凹部に入り込み且つ前記スライド部が前記第１状態をとる際に前記凹部に設けられた前記操作部の変位動作を規制することを特徴とする。
【００１７】
本態様によれば、前記カバー体は、前記本体部が前記凹部に入り込み且つ前記スライド部が前記第１状態をとる際に前記凹部に設けられた前記操作部の変位動作を規制するので、振動や衝撃等によって前記媒体収容カセットの前記装置本体に対するロック状態が意図せず解除されてしまうことを回避できる。
【００１８】
本発明の第７の態様は、第６の態様において、前記操作部は、前記凹部の内側の上側に位置する上側操作部と、前記凹部の内側の下側に位置する下側操作部と、前記上側操作部と前記下側操作部とを連結する連結部と、を備え、前記スライド部の先端が前記連結部に形成された規制穴に入り込むことにより、前記操作部の変位動作が規制されることを特徴とする。
【００１９】
本態様によれば、前記操作部は、前記凹部の内側の上側に位置する上側操作部と、前記凹部の内側の下側に位置する下側操作部と、を備えて成るので、ユーザーは前記上側操作部及び前記下側操作部のいずれを操作しても前記ロック手段の状態切り換えを行うことができ、ユーザーの操作性が良好となる。  
その上で前記スライド部の先端が前記上側操作部と前記下側操作部とを連結する連結部に形成された規制穴に入り込むことにより、前記操作部の変位動作が規制される構成であるので、前記上側操作部或いは前記下側操作部に、前記スライド部の先端が入り込む規制穴を形成する構成に比して、前記上側操作部或いは前記下側操作部を操作する際の操作感の低下を抑制できる。
【００２０】
本発明の第８の態様は、第１から第８の態様のいずれかにおいて、前記凹部は、前記媒体収容カセットの前記装置本体からの引き出し方向前面に形成されており、前記本体部は、前記媒体収容カセットの前面側に、前記凹部の内側の輪郭に沿った形状及び大きさを備えるパネル部を有し、前記本体部が前記凹部を塞いだ状態において、前記パネル部の面と前記媒体収容カセットの前面とが面一になることを特徴とする。
【００２１】
本態様によれば、前記本体部が前記凹部を塞いだ状態において、前記パネル部の面と前記媒体収容カセットの前面とが面一になるので、前記媒体収容カセットの美観が向上するとともに、前記カバー体が前記媒体収容カセットに装着された際の当該媒体収容カセットの寸法増加を回避できる。
【００２２】
本発明の第９の態様に係る媒体収容カセットは、媒体を収容する媒体収容部と、装置本体に対する前記媒体収容部のロック及びロック解除を行うロック手段と、前記ロック手段の状態切り換えを行う操作部と、前記操作部が設けられた凹部と、前記凹部に入り込んで前記凹部を塞ぐ本体部、及び前記本体部から突出して前記本体部を前記凹部に対してロックする第１状態と、前記第１状態よりも前記本体部からの突出量が少なく、前記凹部への前記本体部の入り込み及び前記凹部からの取り外しを許容する第２状態と、をスライドして切り換えるスライド部を備えて成るカバー体とを備えたことを特徴とする。  
本態様によれば、上述した第１の態様と同様の作用効果が得られる。
【図面の簡単な説明】
【００２３】
【図１】本発明に係るインクジェットプリンターの外観斜視図。
【図２】本発明に係るインクジェットプリンターから給紙カセットを取り外した状態の外観斜視図。
【図３】給紙カセットを前方側から見た斜視図。
【図４】給紙カセットを後方側から見た斜視図。
【図５】前面パネルを外した状態の給紙カセットの斜視図。
【図６】操作レバー及び変換機構の斜視図。
【図７】第１回動軸、第２回動軸、ロックレバー、のこれらの斜視図。
【図８】操作レバー及び変換機構の断面図。
【図９】操作レバー及び変換機構の断面図。
【図１０】操作レバー及び変換機構の断面図。
【図１１】給紙カセットの要部側面図。
【図１２】給紙カセットの要部側面図。
【図１３】手掛け凹部の正面図。
【図１４】他の実施形態に係る手掛け凹部の正面図。
【図１５】給紙カセットにカバー体を装着した状態の斜視図。
【図１６】カバー体の斜視図。
【図１７】カバー体に鍵部材を差し入れた状態の斜視図。
【図１８】給紙カセット前面部の断面斜視図。
【図１９】カバー体の分解斜視図。
【図２０】カバー体内部の要部平面図。
【図２１】カバー体内部の要部平面図。
【図２２】カバー体内部の要部断面図。
【図２３】カバー体内部の要部断面図。
【図２４】カバー体内部の要部断面図。
【図２５】他の実施形態に係る手掛け凹部の正面図。
【発明を実施するための形態】
【００２４】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２５】
図１は本発明に係る「記録装置」の一実施形態であるインクジェットプリンター（以下「プリンター」と言う）１の外観斜視図、図２は同外観斜視図であって給紙カセットを取り外した状態の図、図３は給紙カセットを前方側から見た斜視図、図４は給紙カセットを後方側から見た斜視図である。  
また、図５は前面パネルを外した状態の給紙カセットの斜視図、図６は操作レバー及び変換機構の斜視図、図８、図９、図１０は操作レバー及び変換機構の断面図、図１１及び図１２は給紙カセットの要部側面図、図１３は手掛け凹部の正面図である。  
更に、図１４は他の実施形態に係る手掛け凹部の正面図である。
【００２６】
以下、図１及び図２を参照しつつ媒体の一例としての記録用紙にインクジェット記録を行うプリンター１の全体構成について概説する。  
図１及び図２においてプリンター１は、スキャナー部２及び装置本体３によって大略構成されている。装置本体３は、記録用紙を搬送する搬送経路（不図示）や記録ヘッド７（後述）を備えており、また、本実施例では媒体収容カセットの一例として四つの給紙カセット１０Ａ、１０Ｂ、１０Ｃ、１０Ｄを着脱可能に備えている。図２において符号８Ａ、８Ｂ、８Ｃ、８Ｄは、それぞれ給紙カセット１０Ａ、１０Ｂ、１０Ｃ、１０Ｄが収容されるカセット収容部を示している。
【００２７】
符号５は、装置手前側に設けられた、プリンター１の各種操作を行う操作部である。符号６は、記録が行われて排出される記録用紙を受けるトレイであり、より具体的には直近に記録が行われた記録面を下にして排出される記録用紙を受けるフェイスダウン排紙トレイである。  
符号７は、インクを吐出するノズルが用紙幅方向全域をカバーする様に設けられた記録ヘッド（所謂ラインヘッド）であり、用紙幅方向への移動を伴わないで用紙幅全体に記録が可能な記録ヘッドとして構成されている。  
尚、本実施例では装置奥行き方向が用紙幅方向であり、装置幅方向が用紙給送、搬送、排出のこれらを行う方向となっている。
【００２８】
続いて、給紙カセット１０の構成について概説する。尚、以下ではカセット収容部８Ａ、８Ｂ、８Ｃ、８Ｄのこれらを特に区別せずに説明する場合はカセット収容部８と総称し、同様に給紙カセット１０Ａ、１０Ｂ、１０Ｃ、１０Ｄのこれらを特に区別せずに説明する場合は給紙カセット１０と総称することとする。
【００２９】
図３及び図４において符号１１は給紙カセット１０において媒体の一例である記録用紙を収容する、媒体収容部としての用紙収容部であり、符号２２は給紙カセット１０の着脱方向（プリンター１の奥行き方向）に沿って延びる被ガイド突起である。被ガイド突起２２は、カセット収容部８側のガイドレール（不図示）によってガイドされる突起である。尚、被ガイド突起２２は用紙収容部１１の両サイドに設けられているが、図３及び図４では一方側のサイドに設けられた被ガイド突起２２のみが表れている。
【００３０】
用紙収容部１１の内部にはエッジガイド２０、２１Ａ、２１Ｂが設けられている。エッジガイド２０は記録用紙の後端をガイドするエッジガイドであり、エッジガイド２１Ａ、２１Ｂは記録用紙の後端と交差する方向の両側端をガイドするエッジガイドである。  
また、給紙カセット１０の前面側には手掛け凹部１３が形成されており、この手掛け凹部１３の内側の操作レバー３１（後述）を操作することで、ユーザーは作業性容易に給紙カセット１０を引き抜くことができる。
【００３１】
また、給紙カセット１０の前面を構成する前面パネル１７には表示窓１４が形成されており、その内側に、収容する記録用紙のサイズを示す記号（例えば”Ａ３”、Ａ４”、等）を視認できる様になっている。記録用紙のサイズを示す記号は、表示プレート１５に表示されており、この表示プレート１５は、張り出し部１２の裏側に設けられたプレート保持部１６によって保持されている。表示プレート１５はプレート保持部１６に対して着脱可能となっており、給紙カセット１０に収容する用紙サイズに適した記号が付された表示プレート１５に、容易に交換できる様になっている。
【００３２】
そして用紙収容部１１において装置前方側には張り出し部１２が設けられている。  
張り出し部１２は、用紙収容部１１の幅よりも装置側方（本実施例では装置右側）に張り出している。  
上述した表示窓１４は、張り出し部１２に設けられている。
【００３３】
以上が給紙カセット１０の大略構成であり、以下、装置本体３に対する給紙カセット１０のロック及びロック解除を行う機構について図５以降をも参照しつつ説明する。  
給紙カセット１０は、カセット収容部８に装着される際、装着状態にロックされ、ロック解除操作を行わない限り引き抜くことができない様に構成されている。給紙カセット１０のロックは、図５、図１１、図１２に示す「カセット側係合部」としてのロックレバー２７と、図１１、図１２に示す「本体側係合部」としての係止フック２６との係合により行われる。  
ロックレバー２７と係止フック２６は、給紙カセット１０を装置本体にロックするロック手段２５を構成する。  
尚、係止フック２６は給紙カセット１０側ではなく装置本体３（カセット収容部８）側に設けられているが、図１１、図１２では説明の便宜上係止フック２６のみを示し、装置本体３の図示は省略している。
【００３４】
ロックレバー２７は、本実施形態では用紙収容部１１の右側面の、前方側に設けられている。ロックレバー２７は、詳しくは後述するが第１回動軸３４を中心にして図１１及び図１２における時計回り方向及び反時計回り方向に回動可能に設けられており、回動することにより係止フック２６に対して進退する。これによりロックレバー２７は、図１１に示すロック状態、即ち係止フック２６に係止する状態と、図１２に示すロック解除状態、即ち係止フック２６から外れる状態と、を切り換えることができる。尚、符号１１ｂは、ロックレバー２７の回動限度を規制するレバー規制部である。
【００３５】
ロック状態とロック解除状態の切り換え、即ちロックレバー２７の回動動作（第１回動軸３４の回動動作）は、手掛け凹部１３の内側に設けられた「操作部」としての操作レバー３１を操作することで行うことができる。給紙カセット１０の前面パネル１７を取り外した状態を示す図５において操作レバー３１は、用紙収容部１１の前面部１１ａに対し、給紙カセット１０の着脱方向（図５の矢印Ｅ方向）にスライド動作可能に設けられている。
【００３６】
操作レバー３１の動きは、変換機構３０（図６）により、ロックレバー２７の係止フック２６に対する進退動作、即ちロックレバー２７の回動動作（第１回動軸３４の回動動作）に変換される。  
図６において変換機構３０は、操作レバー３１の変位方向に対し交差する方向（本実施形態では装置幅方向）に延設されるとともにロックレバー２７を備える第１回動軸３４と、第１回動軸３４の延設方向と同じ方向に延設されるとともに第１回動軸３４が嵌合し、第１回動軸３４とともに回動する第２回動軸３５と、を備えている。
【００３７】
第２回動軸３５の上方側には、操作レバー３１によって装置手前側に引かれることで、第２回動軸３５及び第１回動軸３４を、ロックレバー２７が係止フック２６から離れる際（ロック解除する際）の回動方向（図６において反時計回り方向）に回動させるレバー係合部３５ａ、３５ａ（図７も参照）が設けられている。  
また変換機構３０は、付勢手段としての圧縮ばね３６を備え、この圧縮ばね３６が、第２回動軸３５の下方側に設けられた被押圧部３５ｂを装置手前側に押圧し、これにより第２回動軸３５及び第１回動軸３４が、ロックレバー２７が係止フック２６に進出する際（ロックする際）の回動方向に付勢される（図９も参照）。  
尚、図７の符号３５ｃは、圧縮ばね３６が嵌合するばね嵌合部を示している。
【００３８】
図６において操作レバー３１にはアーム部３２、３２が一体に設けられており、アーム部３２、３２が操作レバー３１と一体に変位動作する。アーム部３２にはレバー挿入空間３２ｂが形成されており、このレバー挿入空間３２ｂに、レバー係合部３５ａが入り込んだ状態となっている（図８、図１０も参照）。
【００３９】
尚、図８及び図１０は、変換機構３０を含む給紙カセット１０の前方部をレバー係合部３５ａの位置において第２回動軸３５の回動軸線と直交する面で切断した断面図であり、図８は前面パネル１７の図示を省略しており、図１０では前面パネル１７及び操作レバー３１の図示を省略している。  
また、図９は、変換機構３０を含む給紙カセット１０の前方部を被押圧部３５ｂ及び圧縮ばね３６の位置において第２回動軸３５の回動軸線と直交する面で切断した断面図である。
【００４０】
操作レバー３１は、非操作時は、圧縮ばね３６の付勢力によって、装置奥側に付勢されており、装置手前側への変位動作が可能な状態となっている（図８の状態）。  
この状態から操作レバー３１に手を掛けて装置手前側、即ち給紙カセット１０の引き抜き側に引き寄せると（図８〜図１０において左方向）、操作レバー３１の装置手前側への変位に伴ってアーム部３２のレバー押圧部３２ａが、レバー係合部３５ａ、３５ａを装置手前側に押し、これにより第２回動軸３５及び第１回動軸３４が図８〜図１０の反時計回り方向に回動して、ロックレバー２７が係止フック２６から離間してロック解除となる（図１０）。  
尚、ロック解除された状態で操作レバー３１から手を離すと、圧縮ばね３６の付勢力によって操作レバー３１は元の位置に戻る（図８、図９の状態）。
【００４１】
次に、給紙カセット１０前面の手掛け凹部１３と操作レバー３１との位置関係について図１３を参照しつつ説明する。操作レバー３１は、手掛け凹部１３の内側において上側に位置する上側操作部３１ａと、手掛け凹部１３の内側において下側に位置する下側操作部３１ｂと、を備えている（図５、図９も参照）。  
従ってユーザーは上側操作部３１ａ及び下側操作部３１ｂのいずれを操作しても給紙カセット１０のロック及びロック解除、即ちロックレバー２７の状態切り換えを行うことができる。
【００４２】
即ち、操作部としての操作レバー３１に対してユーザーがどの様に指を掛けるかは、ユーザーの背の高さ、操作時の姿勢、好みなどによって変わり、また、給紙カセット１０の高さ位置や、どの段の給紙カセット１０を操作するかによっても変わる。  
本実施形態では、上述のようにユーザーは上側操作部３１ａ及び下側操作部３１ｂのいずれを操作してもロックレバー２７の状態切り換えを行うことができるので、ユーザーの様々な要請に応えることができる。  
また、操作レバー３１は手掛け凹部１３の内側に配置されており、カセット前面に露出しない構成の為、カセット前面の凹凸が少なく、美観に優れた給紙カセット１０を構成できる。
【００４３】
尚、本実施形態では上側操作部３１ａと下側操作部３１ｂは、一の操作レバー３１により構成されているので、操作部を低コストに構成できる。
【００４４】
また本実施形態では、操作レバー３１が、プリンター１の装置本体３に対する給紙カセット１０の着脱方向に変位することにより（図５の矢印Ｅ方向）、ロックレバー２７の状態切り換えが行われるので、操作レバー３１の操作が直感的に判り易く、ユーザーの操作性が向上する。
【００４５】
また本実施形態では、操作レバー３１の上側操作部３１ａと下側操作部３１ｂは、手掛け凹部１３の外側領域の裏面側に位置している。  
より詳しくは、図１３において符号１３ａは手掛け凹部１３の上側縁部を、符号１３ｂは下側縁部を、符号１３ｃは右側縁部を、符号１３ｄは左側縁部を、それぞれ示していて、本実施形態において上側操作部３１ａは上側縁部１３ａよりも上側の領域を持ち、下側操作部３１ｂは下側縁部１３ｂよりも下側の領域を持つ。  
図１３において符号Ａ１、Ａ２は、手掛け凹部１３の外側領域の裏面側において上側操作部３１ａと下側操作部３１ｂの占める範囲を示しており（斜線で示した領域）、いわば手指を掛けることができるかかりしろを示すものである。本実施形態ではこのような手指のかかりしろが確保されている。  
この様な構成によって、上側操作部３１ａと下側操作部３１ｂが手掛け凹部１３の開口内に突出する構成に比して、手掛け凹部１３の開口を大きく確保でき、操作性が向上する。
【００４６】
尚、本実施形態は上述の様に操作レバー３１は手掛け凹部１３の内側において上側に位置する上側操作部３１ａと、下側に位置する下側操作部３１ｂとを備えているが、これに加えて更に、図１４に示す様に右側操作部３１ｃと、左側操作部３１ｄとを更に備える様に構成しても良い。  
図１４において符号３１０は他の実施形態に係る操作レバー３１を示しており、符号Ｂ１、Ｂ２は、手掛け凹部１３の外側領域の裏面側において右側操作部３１ｃと左側操作部３１ｄの占める範囲を示しており（斜線で示した領域）、手指を掛けることができるかかりしろを示すものである。  
この様に構成することで、ユーザーは手掛け凹部１３の内部において上下左右いずれの側にも手指を掛けることができ、給紙カセット１０のロック及びロック解除を行う際の操作性がより一層向上する。
【００４７】
尚、上述した実施形態は、例えば以下の様に変更することができる。  
（１）上記実施形態では、手掛け凹部１３の内側において上下、或いは上下左右に手指を掛けることができる操作部を設けたが、上下左右に限らず、例えば斜め方向にも操作部を設けても良いし、或いは操作レバー３１を円環状に形成し、手掛け位置を上下左右等に限定しない構成としても良い。  
（２）上記実施形態は、本発明を媒体の一例としての記録用紙を収容する給紙カセットに適用したが、給紙カセットに限らず、操作部を操作して装着のロック及びロック解除を行うその他の着脱体に対して適用することもできる。
【００４８】
続いて、図１５以降も参照しつつ、カバー体４０について説明する。  
図１５〜図１７に示す様に給紙カセット１０の手掛け凹部１３に対し、カバー体４０が着脱可能に構成されている。  
カバー体４０は、手掛け凹部１３に入り込んで当該手掛け凹部１３を塞ぐ本体部４０ａと、本体部４０ａを手掛け凹部１３に対してロックするスライド部材４５（図１６及び図１７ではスライド部材４５の先端部４５ａが現れている）とを備えて成る。そして本体部４０ａが手掛け凹部１３に入り込むことで上述した操作部としての操作レバー３１の操作（ロック解除操作）が規制されることとなる。この様なカバー体４０によって装置寸法の増大を押さえつつ、不用意な給紙カセット１０の着脱操作を規制することができる。
【００４９】
加えてスライド部材４５が、スライドすることにより本体部４０ａを手掛け凹部１３に対してロックする第１状態（図１５、図１６の状態）と、当該第１状態よりも本体部４０ａからの先端部４５ａの突出量が少なく、手掛け凹部１３への本体部４０ａの入り込み及び取り外しを許容する第２状態（図１７の状態）とを切り換える構成であるので、例えばスライド部材４５が回動する様な構成に比べて状態切り換えを行う為に必要なスペースが小さくて済む。
【００５０】
カバー体４０は、図１７に示す様に取り外された状態において前面に形成された鍵穴（開口）５１に鍵部材５５が差し入れられ、且つ抜けない状態となっており、カバー体４０と鍵部材５５とが一体で保管される様になっている。  
この状態からカバー体４０を給紙カセット１０の手掛け凹部１３に差し入れ、カバー体４０の前面中央に設けられた凹部４２ａ内の操作突起４６ａ（操作カム４６）を押し込むと、図１６に示す様に本体部４０ａの両側部から側方に向けてスライド部材４５の先端部４５ａが飛び出す。
【００５１】
飛び出した先端部４５ａは、手掛け凹部１３内側の両側部にある係合穴１３ｇ（図１８）に入り込み、これによってカバー体４０が手掛け凹部１３に対してロックされる。  
尚、前面中央に設けられた操作突起４６ａ（操作カム４６）を押し込むと、本体部４０ａに対する鍵部材５５の拘束が解除され、鍵部材５５を鍵穴５１から引き抜くことが可能となる。  
以上がカバー体４０の概略機能である。
【００５２】
以下、カバー体４０の構成について更に詳述する。  
図１９に示す様にカバー体４０は、本体部４０ａの外側を構成する筐体４１と、本体部４０ａの前面を構成するパネル部４２と、を備えている。またカバー体４０は、筐体４１の内部に収容されるベースフレーム４３、サブフレーム４４、二つのスライド部材４５、操作カム４６、三つのロック部材４７、二つのコイルばね４８、三つのコイルばね４９、二つのコイルばね５０、のこれらを備えている。  
符号５５は、上述した鍵部材である。
【００５３】
以下、スライド部材４５のスライド方向を単に左右方向と言い、操作突起４６ａ（操作カム４６）の押し込み及び復帰方向を単に奥行き方向と言うこととする。また、ベースフレーム４３のフレーム面と直交する方向（本実施形態では鉛直方向となる）を単に厚み方向と言うこととする。  
サブフレーム４４はベースフレーム４３に対して厚み方向に所定の間隔を空けた状態で固定され、サブフレーム４４とベースフレーム４３との間に形成された隙間に、二つのスライド部材４５と、三つのロック部材４７とが配置される。
【００５４】
二つのスライド部材４５は、同じ部材であって取り付けの向きのみが異なる関係を有しており、ベースフレーム４３とサブフレーム４４との間に挟まれた状態で、ベースフレーム４３及びサブフレーム４４によって左右方向にガイドされる。  
ロック部材４７は略Ｔ字の形状を成し、ベースフレーム４３とサブフレーム４４との間に挟まれた状態で、ベースフレーム４３及びサブフレーム４４によって奥行き方向にガイドされる。図２０及び図２１において符号４３ｅ、４３ｆ、４３ｇ、のこれらは、三つのロック部材４７を奥行き方向にガイドする、ベースフレーム４３に形成されたガイド溝である。サブフレーム４４にも同様のガイド溝が形成されており、ロック部材４７は、ベースフレーム４３とサブフレーム４４との間に挟まれた状態において、一部がベースフレーム４３及びサブフレーム４４から厚み方向に突出する。ロック部材４７においてベースフレーム４３から厚み方向に突出する部分は、後述するが、鍵部材５５と係合する。
【００５５】
また三つのロック部材４７は、スライド部材４５と係合して当該スライド部材４５のスライド方向の位置（左右方向の位置）を規制する部材でもある。具体的には、スライド部材４５には図２２〜図２４に示す様にスライド方向（左右方向）に沿って適宜の間隔を空けて第１凹部４５ｃ、第２凹部４５ｄ、第３凹部４５ｅ、のこれらが形成されている。  
そしてこれらの凹部に三つのロック部材４７が図２４に示す様に入り込むことで、スライド部材４５の第１状態、即ちカバー体４０を手掛け凹部１３にロックする状態（先端部４５ａが係合穴１３ｇに入り込んだ状態）が維持される。
【００５６】
尚、図２２〜図２４では、第１凹部４５ｃに係合するロック部材を符号４７−１で示している。また同様に、第２凹部４５ｄに係合するロック部材を符号４７−２で示し、第３凹部４５ｃに係合するロック部材を符号４７−３で示している。  
第１凹部４５ｃと第３凹部４５ｅは、ほぼ同じ幅で形成されており、第２凹部４５ｄは、第１凹部４５ｃ及び第３凹部４５ｅよりも大きい幅で形成されており、スライド部材４５が第２状態（図２２：ロック解除状態）から第１状態（図２４：ロック状態）に移行する過程において、図２３に示す様に最初に真ん中のロック部材４７−２のみが相手側の第２凹部４５ｄに入り込む様に構成されている。この理由については、後に説明する。
【００５７】
続いて操作突起４６ａが形成された操作カム４６は、サブフレーム４４によって奥行き方向にガイドされる。操作カム４６には図２２〜図２４に示す様にカム部４６ｂが形成されており、このカム部４６ｂが、スライド部材４５に形成されたカム面４５ｆと係合する。操作カム４６を奥側に押し込んだ際、カム部４６ｂがカム面４５ｆを押し退け、これによりスライド部材４５が、本体部４０ａから突出する方向にスライドする。
【００５８】
尚、コイルばね４８は、スライド部材４５が本体部４０ａ内に引き込む方向にスライド部材４５を付勢する付勢手段である。  
また、コイルばね４９は、ロック部材４７がスライド部材４５に圧接する方向にロック部材４７を付勢する付勢手段である。  
更にコイルバネ５０は、操作カム４６が本体部４０ａ内に引き込む方向に操作カム４６を付勢する付勢手段である。
【００５９】
続いて鍵部材５５と、三つのロック部材４７との関係について図２０及び図２１を参照しつつ説明する。  
ベースフレーム４３には左右方向に適宜の間隔を空けて三つの規制突起４３ｂ、４３ｃ、４３ｄが形成されている。この規制突起４３ｂ、４３ｃ、４３ｄは、対応しない鍵部材によって三つのロック部材４７が押し込まれない様に、つまり鍵機能を実現する様に設けられたものである。従って対応する鍵部材５５には、三つの規制突起４３ｂ、４３ｃ、４３ｄを避ける様に、三つの溝部、即ち第１溝部５５ｄ、第２溝部５５ｅ、第３溝部５５ｆ、のこれらが形成されている。
【００６０】
鍵部材５５が鍵穴５１に差し込まれると、第１溝部５５ｄに規制突起４３ｂが入り込み、同様に第２溝部５５ｅに規制突起４３ｃが、第３溝部５５ｆに規制突起４３ｄが、それぞれ入り込む。これにより鍵部材５５の第１係合部５５ａがロック部材４７−１を押し込み、同様に第２係合部５５ｂがロック部材４７−２を、第３係合部５５ｃがロック部材４７−３を、それぞれ押し込む。
【００６１】
各ロック部材４７が押し込まれると、各ロック部材４７は図２４から図２２への変化で示される様にスライド部材４５に形成された各凹部（４５ｃ、４５ｄ、４５ｅ）から抜け出て、スライド部材４５がスライド可能となる。スライド部材４５がスライド可能になると、コイルばね４８の付勢力によって、スライド部材４５が本体部４０ａ内に引き込む。即ちスライド部材４５の先端部４５ａが係合穴１３ｇから抜け出て、カバー体４０の手掛け凹部１３に対するロックが解除される。
【００６２】
このとき、スライド部材４５に形成されたストッパー４５ｂが、図２０から図２１への変化で示されるように鍵部材５５に形成された受け入れ溝５５ｇに入り込み、これにより鍵部材５５が引き抜けない状態となる。尚、符号４３ａは、ベースフレーム４３に形成された長穴であり、スライド部材４５に形成されたストッパー４５ｂは、長穴４３ａを介してベースフレーム４３のフレーム面から突出し、鍵部材５５と係合可能となっている。
【００６３】
この状態（図２１の状態）で、カバー体４０を手掛け凹部１３に差し入れることが可能となる。そしてこの状態から操作突起４６ａ（操作カム４６）が押し込まれると、スライド部材４５のスライドに伴って鍵部材５５の受け入れ溝５５ｇからストッパー４５ｂが抜け出て、鍵部材５５を引き抜くことが可能となる（図２０の状態）。  
ここで、鍵部材５５が引き抜かれたということは、本来はカバー体４０が手掛け凹部１３に対してロックされたことを意味するが、部品精度の関係上、ロックが完了しないまま鍵部材５５の受け入れ溝５５ｇからストッパー４５ｂが抜け出て、鍵部材５５を引き抜くことが可能な状態となってしまう虞もある。
【００６４】
そこで本実施形態に係るカバー体４０は、二段階でロックがされる機構を設けている。図２２〜図２４を参照しつつ説明したスライド部材４５の三つの凹部（４５ｃ、４５ｄ、４５ｅ）のうち真ん中の第２凹部４５ｄが、その両側の第１凹部４５ｃ及び第３凹部４５ｅより幅が大きく形成されているのは、図２２から図２３への変化で示されるように操作突起４６ａ（操作カム４６）を押し込んだ際に最初にロック部材４７−２を相手側の第２凹部４５ｄに入り込ませる為である。
【００６５】
即ち操作突起４６ａ（操作カム４６）を押し込んでいった際に、三つのロック部材４７の全てを同じタイミングでスライド部材４５に係合させるのではなく、タイミングをずらして係合させる。本実施形態では、最初にロック部材４７−２が相手側の第２凹部４５ｄに入り込み、更に操作カム４６を押し込むと、他のロック部材４７−１、４７−３が、それぞれ相手側の第１凹部４５ｃ、４５ｅに入り込む。  
設計上、最初にロック部材４７−２が相手側の第２凹部４５ｄに入り込んだ状態では、スライド部材４５に形成されたストッパー４５ｂが、鍵部材５５に形成された受け入れ溝５５ｇに入り込み始めた位置となる。
【００６６】
従ってこの状態で仮に部品精度の関係でスライド部材４５に形成されたストッパー４５ｂが、鍵部材５５に形成された受け入れ溝５５ｇに入り込んでおらず、鍵部材５５が引き抜けたとしても、三つのロック部材のうちロック部材４７−２が第２凹部４５ｄに既に入り込んでいるので、カバー体４０の手掛け凹部１３に対するロック状態は適切に維持される。そしてこの状態から操作突起４６ａ（操作カム４６）を押し込めば、他のロック部材４７−１、４７−３も、相手側の凹部（４５ｃ、４５ｅ）に入り込み、更なるロックが行われる。  
以上の様な二段階ロック機構により、手掛け凹部１３に対するカバー体４０のロックが完了しないまま鍵部材５５が引き抜かれてしまう問題を回避できる。
【００６７】
以上説明したように本実施形態に係るカバー体４０は、給紙カセット１０の手掛け凹部１３に入り込んで当該手掛け凹部１３を塞ぐ本体部４０ａと、本体部４０ａを手掛け凹部１３に対してロックするスライド部材４５とを備えて成る。そして本体部４０ａが手掛け凹部１３に入り込むことで上述した操作部としての操作レバー３１の操作（給紙カセット１０のロック解除操作）が規制されることとなる。即ち給紙カセット１０からカバー体４０が大きく飛び出すことなくロックがされるので、装置寸法の増大を押さえつつ、不用意な給紙カセット１０の着脱操作を規制することができる。
【００６８】
またカバー体４０は、スライド部材４５の先端部４５ａが手掛け凹部１３の内側に設けられた係合穴１３ｇに係合することにより、スライド部材４５の第１状態（カバー体４０の本体部４０ａを手掛け凹部１３に対してロックする状態）が形成されるので、本体部４０ａを前記スライド部に確実にロックすることができる。
【００６９】
またカバー体４０は、スライド部材４５は、手掛け凹部１３の左右方向（給紙カセット１０の幅方向）にスライドすることにより、第１状態と、第２状態（本体部４０ａからの突出量が少なく、手掛け凹部１３への本体部４０ａの入り込み及び取り外しを許容する状態）と、を切り換えるので、例えばスライド部材４５がスライドするのではなく回動する様な構成に比べて状態切り換えを行う為に必要なスペースが小さくて済む。
【００７０】
またカバー体４０は、手掛け凹部１３の奥行き方向（給紙カセット１０の着脱方向）に沿って変位可能な押圧ボタンとしての操作突起４６ａ（操作カム４６）を備え、操作カム４６を押し込むことで、スライド部材４５が前記第２状態から前記第１状態に切り換わる構成であるので、操作性容易に、スライド部材４５を前記第２状態から前記第１状態に切り換えることができる。
【００７１】
またカバー体４０は、鍵部材５５を挿入する開口としての鍵穴５１を備え、鍵部材５５を鍵穴５１に挿入することで、スライド部材４５が前記第１状態から前記第２状態に切り換わる構成であるので、操作性容易に、スライド部材４５を前記第１状態から前記第２状態に切り換えることができる。
【００７２】
またカバー体４０は、本体部４０ａが手掛け凹部１３に入り込み且つスライド部材４５が前記第１状態をとる際に、操作部としての操作レバー３１の変位動作を規制する様に構成しても良い。  
具体的には、図１４の変形例である図２５に示す様に、上側操作部３１ａと下側操作部３１ｂとを連結する連結部となっている右側操作部３１ｃ及び左側操作部３１ｄに、規制穴としての係合穴１３０ｇを形成し、この係合穴１３０ｇに、スライド部材４５の先端部４５ａが入り込む様に構成する。  
これにより、振動や衝撃等によって給紙カセット１１の装置本体３に対するロック状態が意図せず解除されてしまうことを回避できる。  
尚、係合穴１３０ｇは、必ずしも右側操作部３１ｃ及び左側操作部３１ｄに形成する必要はなく、上側操作部３１ａや下側操作部３１ｂに形成しても良い。また、右側操作部３１ｃ及び左側操作部３１ｄに代えて、単に上側操作部３１ａと下側操作部３１ｂとを連結する連結部として構成し、当該連結部に係合穴１３０ｇを形成しても良い。その場合、操作部に係合穴を形成する構成に比して、操作感の低下を抑制できる。
【００７３】
また本実施形態においてカバー体４０は、手掛け凹部１３の内側の輪郭に沿った形状及び大きさを備えるパネル部４２を有し、本体部４０ａが手掛け凹部１３を塞いだ状態において、図１５に示す様にパネル部４２の前面４２ｂと給紙カセット１０の前面１０ｅとが略面一になる。  
従って給紙カセット１０の美観が向上するとともに、カバー体４０が給紙カセット１０に装着された際の当該給紙カセット１０の寸法増加を回避できる。
【００７４】
尚、以上説明したカバー体４０は、更に以下の様に変更しても良い。  
（１）上記実施例ではカバー体４０を給紙カセット１０の手掛け凹部１３から取り外した状態で、鍵部材５５からカバー体４０から引き抜けないように拘束される構成としたが、鍵部材５５がカバー体４０から引き抜ける構成としても良い。
（２）カバー体４０の操作突起４６ａ（操作カム４６）を押し込んだ際、当該操作カム４６が直接的に或いは他の部材を介して間接的に操作部としての操作レバー３１を変位させ、ロックレバー２７（図１１）が係止フック２６（図１１）に係止する状態、即ちロック状態に切り換わるように構成しても良い。
【００７５】
（３）スライド部材４５は本実施形態では左右に突出する様に二つ設けられているが、左右のいずれか一方にのみ突出するように一つのみ設けても良い。尚、本実施形態の様に左右に突出することで、カバー体４０を安定して固定できる。  
また、スライド部材４５が左右に突出するのではなく、上下に突出するように構成しても良いし、或いは上下左右に突出するように構成しても良い。
【００７６】
（４）給紙カセット１０を複数備える構成において（本実施形態では４つの給紙カセット１０Ａ〜１０Ｄ）、カバー体４０は、任意の一つの給紙カセットにのみ適用しても良いし、任意の複数の給紙カセットに適用しても良いし、全ての給紙カセットに適用しても良い。  
その際、鍵部材５５は、複数のカバー体４０の全てで共通のものとしても良いし（一つの鍵部材で全てのカバー体４０の解錠する）、任意の複数のカバー体４０で共通のものとしても良いし、複数のカバー体４０の全てで異なるものとしても良い。  
（５）カバー体４０は、本実施形態では給紙カセットに適用したが、これに限られず、着脱のロック及びロック解除を行う操作部と、当該操作部が設けられる凹部と、を備えたその他の構成に適用することも可能である。
【符号の説明】
【００７７】
１…インクジェットプリンター、２…スキャナー部、３…装置本体、５…操作部、６…フェイスダウン排紙トレイ、７…記録ヘッド、８、８Ａ〜８Ｄ…カセット収容部、１０、１０Ａ〜１０Ｄ…給紙カセット、１０ｅ…カセット前面、１１…用紙収容部、１１ａ…前面部、１１ｂ…レバー規制部、１２…張り出し部、１３…手掛け凹部、１３ｇ…係合穴、１４…表示窓、１５…表示プレート、１６…プレート保持部、１７…前面パネル、２０…エッジガイド、２１Ａ、２１Ｂ…エッジガイド、２２…被ガイド突起、２５…ロック手段、２６…係止フック（本体側係合部）、２７…ロックレバー（カセット側係合部）、３０…変換機構、３１…操作レバー、３１ａ…上側操作部、３１ｂ…下側操作部、３１ｃ…右側操作部、３１ｄ…左側操作部、３２…アーム部、３２ａ…レバー押圧部、３２ｂ…レバー挿入空間、３４…第１回動軸、３５…第２回動軸、３５ａ…レバー係合部、３５ｂ…被押圧部、３５ｃ…ばね嵌合部、３６…圧縮ばね、４０…カバー体、４０ａ…本体部、４１…筐体、４２…パネル部、４２ａ…凹部、４２ｂ…前面、４３…ベースフレーム、４３ａ…長穴、４３ｂ、４３ｃ、４３ｄ…規制突起、４３ｅ、４３ｆ、４３ｇ…ガイド溝、４４…サブフレーム、４５…スライド部材、４５ａ…先端部、４５ｂ…ストッパー、４５ｃ…第１凹部、４５ｄ…第２凹部、４５ｅ…第３凹部、４５ｆ…カム面、４６…操作カム、４６ａ…操作突起、４６ｂ…カム部、４７…ロック部材、４８…コイルばね、４９…コイルばね、５０…コイルばね、５１…鍵穴、５５…鍵部材、５５ａ…第１係合部、５５ｂ…第２係合部、５５ｃ…第３係合部、５５ｄ…第１溝部、５５ｅ…第２溝部、５５ｆ…第３溝部、５５ｇ…受け入れ溝
【図１】
2018158806.tif 000003
【図２】
2018158806.tif 000004
【図３】
2018158806.tif 000005
【図４】
2018158806.tif 000006
【図５】
2018158806.tif 000007
【図６】
2018158806.tif 000008
【図７】
2018158806.tif 000009
【図８】
2018158806.tif 000010
【図９】
2018158806.tif 000011
【図１０】
2018158806.tif 000012
【図１１】
2018158806.tif 000013
【図１２】
2018158806.tif 000014
【図１３】
2018158806.tif 000015
【図１４】
2018158806.tif 000016
【図１５】
2018158806.tif 000017
【図１６】
2018158806.tif 000018
【図１７】
2018158806.tif 000019
【図１８】
2018158806.tif 000020
【図１９】
2018158806.tif 000021
【図２０】
2018158806.tif 000022
【図２１】
2018158806.tif 000023
【図２２】
2018158806.tif 000024
【図２３】
2018158806.tif 000025
【図２４】
2018158806.tif 000026
【図２５】
2018158806.tif 000027